【手続補正書】
【提出日】平成17年9月16日(2005.9.16)
【手続補正１】
【補正対象書類名】明細書
【補正対象項目名】特許請求の範囲
【補正方法】変更
【補正の内容】
【特許請求の範囲】
【請求項１】  一体的なアクセスポート組立体であって、
取付け式のカテーテルと自己シール式の隔壁とを有するアクセスポートを具備し、
当該アクセスポート組立体は該アクセスポート組立体内に配置される一つ以上のシール可能な入口領域を有し、これら入口領域の少なくとも一つはガイドワイヤまたはスタイレットを受容し、且つその引き抜きを許可し、さらにガイドワイヤまたはスタイレットをカテーテルに向けるのに適するガイドワイヤ入口領域を具備し、これによりカテーテルの設置が容易になるアクセスポート組立体。
【請求項２】  前記ガイドワイヤ入口領域は前記自己シール式の隔壁の一部である請求項１に記載のアクセスポート組立体。
【請求項３】  前記アクセスポートはカテーテルの第一の管腔に流体的な関係をもって接続されたリザーバを有する請求項１に記載のアクセスポート組立体。
【請求項４】  前記ガイドワイヤ入口領域は前記アクセスポートの第二の自己シール式の隔壁である請求項１に記載のアクセスポート組立体。
【請求項５】  前記ガイドワイヤ入口領域は前記アクセスポートの予め定められた領域である請求項１に記載のアクセスポート組立体。
【請求項６】  前記ガイドワイヤ入口領域はカテーテルに配置される請求項１に記載のアクセスポート組立体。
【請求項７】  前記カテーテルは該カテーテルの一部に沿って延びる第二の管腔を有し、前記ガイドワイヤ入口領域は該第二の管腔への開口を具備する請求項１に記載のアクセスポート組立体。
【請求項８】  前記開口は前記取付けられたアクセスポートとカテーテルの末端部との中間にある請求項７に記載のアクセスポート組立体。
【請求項９】  前記カテーテルは前記アクセスポートに近接して被補強部分を有する請求項１に記載のアクセスポート組立体。
【請求項１０】  上方本体と、該上方本体に取付け可能な下方本体と、前記上方本体と前記下方本体との間の自己シール式の隔壁とを有する本体部分と、
カテーテルを前記本体部分に固定されるように取付けるための出口と、
前記隔壁を通して前記出口にガイドワイヤを挿入するために前記上方本体に配置されたガイドワイヤ入口領域とを具備するアクセスポート装置。
【請求項１１】  前記下方本体にリザーバが形成され、カテーテルが前記出口を介して該リザーバに流体的な関係をもって接続される請求項１０に記載のアクセスポート。
【請求項１２】  前記上方本体は前記ガイドワイヤ入口領域に加えて前記上方本体に配置されたアクセス領域を有する請求項１０に記載のアクセスポート。
【請求項１３】  リザーバを有する本体であって、該リザーバが前記本体の頂部に配置された自己シール式の第一の隔壁を有する本体と、
前記リザーバに流体的な関係をもって接続されるように、カテーテルを前記本体に固定されるように取付けるための出口と、
前記リザーバを通して前記出口にガイドワイヤを挿入するために前記本体に配置された自己シール式の第二の隔壁とを具備するアクセスポート装置。
【請求項１４】  前記出口は該出口を通る軸線を有し、前記第二の隔壁は前記出口軸線に沿って前記出口の反対側に配置される請求項１３に記載のアクセスポート。
【請求項１５】  前記カテーテルは前記アクセスポートに近接して被補強部分を有する請求項１３に記載のアクセスポート。
【請求項１６】  自己シール式のアクセス隔壁を有するアクセスポートと、
該アクセスポートに固定されるように取付け可能なカテーテルとを具備し、該カテーテルは前記アクセスポートに取付けられた時に前記アクセスポートに流体的な関係をもって接続される第一の管腔と、第二の管腔とを有し、該第二の管腔が該第二の管腔内にガイドワイヤを受容するのに適する入口領域を有するアクセスポート組立体。
【請求項１７】  前記入口領域は前記アクセスポートとカテーテルの末端部との間の開口である請求項１６に記載のアクセスポート。
【請求項１８】  前記カテーテルは前記アクセスポートに近接して被補強部分を有する請求項１６に記載のアクセスポート。
【請求項１９】  前記入口領域はカテーテル内のスリットであり、該スリットは実質的にカテーテルの長さ方向に延びる請求項１６に記載のアクセスポート。
【請求項２０】  前記スリットは前記ガイドワイヤより幅が狭い請求項１６に記載のアクセスポート。
【請求項２１】  リザーバを有するアクセスポート本体と、
前記アクセスポート本体をカテーテルに接続するために前記リザーバに流体的な関係をもって接続される出口と、
前記リザーバの底部に配置された固いインサートとを具備するアクセスポート。
【請求項２２】  前記固いインサートは前記出口へと延びる請求項２１に記載のアクセスポート。
【請求項２３】  前記リザーバは周面を有し、前記固いインサートは該周面周りへと上方に延びる請求項２１に記載のアクセスポート。
【請求項２４】  前記固いインサートは上方への延長部分にガイドワイヤを通すことができるような開口を有する請求項２１に記載のアクセスポート。
【請求項２５】  前記固いインサートは前記出口付近に尖鋭領域を有する請求項２１に記載のアクセスポート。
【請求項２６】  実質的に貫通可能な自己シール式の材料から作られる本体と、該本体内に配置されたリザーバに流体的な関係をもって接続されるようにカテーテルを固定されるように取付けるための出口とを有し、前記リザーバは少なくともその底部に沿って配置された固いインサートを有するアクセスポート。
【請求項２７】  前記固いインサートは前記カテーテル用出口を収容する前記リザーバの側と、前記カテーテル用出口の反対側の前記リザーバの側とで上方に延びる請求項２６に記載のアクセスポート。
【請求項２８】  前記固いインサートは前記リザーバの全ての側部で上方に延び、トレイ形を形成する請求項２６に記載のアクセスポート。
【請求項２９】  前記カテーテル用出口の反対側で延びる前記固いインサートの前記側部はその中にシール可能なアクセスホールを有する請求項２７または２８に記載のアクセスポート。
【請求項３０】  前記インサートの前記側部延長部分は下方に向かって内側に傾いており、前記カテーテル用出口の反対の前記側部延長部分はシール可能なアクセス孔を有する請求項２７または２８に記載のアクセスポート。
【請求項３１】  固くて貫通可能でない材料から形成される本体を有し、該本体は当該本体に配置されたリザーバに流体的な関係をもって接続されるカテーテルを固く取付けるための出口を有し、前記本体はその上方部分に配置された貫通可能な自己シール式の隔壁と、前記リザーバにアクセスするために底部に配置された取外し可能なアクセスパネルとを有するアクセスポート。
【請求項３２】  固くて貫通可能でない材料から形成される本体を有し、該本体は当該本体に配置されたリザーバに流体的な関係をもって接続されるカテーテルを固く取付けるための出口を有し、前記本体はその上方部分に配置された貫通可能な自己シール式の隔壁を有し、且つ前記リザーバへの外側の入口を提供するために前記カテーテル用出口の反対側に且つ実質的にこれと整列した閉鎖可能なポートを前記本体に有するアクセスポート。
【請求項３３】  前記ポートはネジ状のボルトまたはネジで閉じられる請求項３２に記載のアクセスポート。